【手続補正書】
【提出日】平成17年3月24日(2005.3.24)
【手続補正１】
【補正対象書類名】特許請求の範囲
【補正対象項目名】全文
【補正方法】変更
【補正の内容】
【特許請求の範囲】
【請求項１】
動画撮影可能な撮像手段と、
この撮像手段による動画撮影処理により得られた動画データを、作業用メモリを用いて圧縮する動画圧縮手段と、
この動画圧縮手段により圧縮された動画データを記録媒体に記録する記録制御手段と、
動画記録の開始を指示する開始指示手段と、
この開始指示手段により動画記録の開始が指示されたとき、前記動画圧縮手段による圧縮処理及び前記記録制御手段による記録処理を開始させる処理制御手段と、
前記開始指示手段により動画記録の開始が指示されたとき、前記作業用メモリにおけるデータの読み書き速度を低速から高速に切り替える切替制御手段と、
を備えたことを特徴とする撮像装置。
【請求項２】
動画撮影可能な撮像手段と、
前記撮像手段による動画撮影処理により得られた動画データを、作業用メモリを用いて圧縮する動画圧縮手段と、
この動画圧縮手段により圧縮された動画データを記録媒体に記録する記録制御手段と、
動画記録の待機状態への移行を指示する移行指示手段と、
動画記録の開始を指示する開始指示手段と、
前記移行指示手段により動画記録の待機状態への移行が指示されたとき、前記作業用メモリにおけるデータの読み書き速度を低速から高速に切り替える切替制御手段と、
前記開始指示手段により動画記録の開始が指示されたとき、前記動画圧縮手段による圧縮処理及び前記記録制御手段による記録処理を開始させる処理制御手段と、
を備えたことを特徴とする撮像装置。
【請求項３】
前記処理制御手段は、前記開始指示手段により動画記録の開始が指示されたとき、前記撮像手段による動画撮影処理を開始させる手段を含むことを特徴とする請求項１又は２記載の撮像装置。
【請求項４】
前記開始指示手段は、所定のキー操作に応答して動画記録の開始を指示する手段を含むことを特徴とする請求項１乃至３いずれかに記載の撮像装置。
【請求項５】
動画記録の終了を指示する終了指示手段を備え、
前記処理制御手段は、前記終了指示手段により動画記録の終了が指示されたとき、前記動画圧縮手段による圧縮処理及び前記記録制御手段による記録処理を終了させる手段を含み、
前記切替制御手段は、前記終了指示手段により動画記録の終了が指示されたとき、前記作業用メモリにおけるデータの読み書き速度を高速から低速に切り替える手段を含むことを特徴とする請求項１乃至４いずれかに記載の撮像装置。
【請求項６】
前記終了指示手段は、所定のキー操作に応答して動画記録の終了を指示する手段を含むことを特徴とする請求項５記載の撮像装置。
【請求項７】
前記終了指示手段は、前記開始指示手段により動画記録の開始が指示されてからの所定時間の経過に応答して動画記録の終了を指示する手段を含むことを特徴とする請求項５又は６記載の撮像装置。
【請求項８】
前記移行指示手段は、所定のキー操作に応答して、動画記録の待機状態への移行を指示する手段を含むことを特徴とする請求項２記載の撮像装置。
【請求項９】
前記移行指示手段は、動画撮影モードの設定操作に応答して、動画記録の待機状態への移行を指示する手段を含むことを特徴とする請求項８記載の撮像装置。
【請求項１０】
前記切替制御手段は、前記動画撮影モードの設定解除操作に応答して、前記作業用メモリにおけるデータの読み書き速度を高速から低速に切り替える手段を含むことを特徴とする請求項９記載の撮像装置。
【請求項１１】
半押し状態と全押し状態との２段階操作が可能なシャッターボタンを備え、
前記移行指示手段は、前記シャッターボタンの半押し操作に応答して、動画記録の待機状態への移行を指示する手段を含むことを特徴とする請求項８記載の撮像装置。
【請求項１２】
前記切替制御手段は、前記シャッターボタンの半押し操作の解除に応答して、前記作業用メモリにおけるデータの読み書き速度を高速から低速に切り替える手段を含むことを特徴とする請求項１１記載の撮像装置。
【請求項１３】
前記移行指示手段は、シャッターボタン操作に応答して、動画記録の待機状態への移行を指示する手段を含むことを特徴とする請求項８記載の撮像装置。
【請求項１４】
前記開始指示手段は、前記所定のキー操作と同一のキー操作に応答して動画記録の開始を指示する手段を含むことを特徴とする請求項８記載の撮像装置。
【請求項１５】
前記切替制御手段は、前記所定のキー操作からの所定時間の経過に応答して、前記作業用メモリにおけるデータの読み書き速度を高速から低速に切り替える手段を含むことを特徴とする請求項８記載の撮像装置。
【請求項１６】
前記動画圧縮手段は、フレーム間予測符号化を伴う圧縮処理により前記動画データを圧縮する手段を含むことを特徴とする請求項１乃至１５いずれかに記載の撮像装置。
【請求項１７】
前記動画圧縮手段は、ＭＰＥＧ方式による圧縮処理により前記動画データを圧縮する手段を含むことを特徴とする請求項１６記載の撮像装置。
【請求項１８】
動画撮影可能な撮像部と、この撮像部による動画撮影処理により得られた動画データを、作業用メモリを用いて圧縮する動画圧縮部と、この動画圧縮部により圧縮された動画データを記録媒体に記録する記録制御部とを備えた撮像装置の動画撮影方法であって、
動画記録の開始を指示するステップと、
動画記録の開始が指示されたとき、前記作業用メモリにおけるデータの読み書き速度を低速から高速に切り替えるステップと、
前記作業用メモリにおけるデータの読み書き速度が低速から高速に切り替えられた後、前記動画圧縮部による圧縮処理及び前記記録制御部による記録処理を開始させるステップと、
を含むことを特徴とする動画撮影方法。
【請求項１９】
動画撮影可能な撮像部と、この撮像部による動画撮影処理により得られた動画データを、作業用メモリを用いて圧縮する動画圧縮部と、この動画圧縮部により圧縮された動画データを記録媒体に記録する記録制御部とを備えた撮像装置の動画撮影方法であって、
動画記録の待機状態への移行を指示するステップと、
動画記録の待機状態への移行が指示されたとき、前記作業用メモリにおけるデータの読み書き速度を低速から高速に切り替えるステップと、
動画記録の開始を指示するステップと、
動画記録の開始が指示されたとき、前記動画圧縮部による圧縮処理及び前記記録制御部による記録処理を開始させるステップと、
を含むことを特徴とする動画撮影方法。
【請求項２０】
動画撮影可能な撮像部と、この撮像部による動画撮影処理により得られた動画データを、作業用メモリを用いて圧縮する動画圧縮部と、この動画圧縮部により圧縮された動画データを記録媒体に記録する記録制御部とを備えた撮像装置が有するコンピュータに、
動画記録の開始を指示する処理と、
動画記録の開始が指示されたとき、前記作業用メモリにおけるデータの読み書き速度を低速から高速に切り替える処理と、
前記作業用メモリにおけるデータの読み書き速度が低速から高速に切り替えられた後、前記動画圧縮部による圧縮処理及び前記記録制御部による記録処理を開始させる処理と、
を実行させるための動画撮影プログラム。
【請求項２１】
動画撮影可能な撮像部と、この撮像部による動画撮影処理により得られた動画データを、作業用メモリを用いて圧縮する動画圧縮部と、この動画圧縮部により圧縮された動画データを記録媒体に記録する記録制御部とを備えた撮像装置が有するコンピュータに、
動画記録の待機状態への移行を指示する処理と、
動画記録の待機状態への移行が指示されたとき、前記作業用メモリにおけるデータの読み書き速度を低速から高速に切り替える処理と、
動画記録の開始を指示する処理と、
動画記録の開始が指示されたとき、前記動画圧縮部による圧縮処理及び前記記録制御部による記録処理を開始させる処理と、
を実行させるための動画撮影プログラム。
【手続補正２】
【補正対象書類名】明細書
【補正対象項目名】０００６
【補正方法】変更
【補正の内容】
【０００６】
前記課題を解決するため、請求項１の発明にあっては、動画撮影可能な撮像手段と、この撮像手段による動画撮影処理により得られた動画データを、作業用メモリを用いて圧縮する動画圧縮手段と、この動画圧縮手段により圧縮された動画データを記録媒体に記録する記録制御手段と、動画記録の開始を指示する開始指示手段と、この開始指示手段により動画記録の開始が指示されたとき、前記動画圧縮手段による圧縮処理及び前記記録制御手段による記録処理を開始させる処理制御手段と、前記開始指示手段により動画記録の開始が指示されたとき、前記作業用メモリにおけるデータの読み書き速度を低速から高速に切り替える切替制御手段とを備えたものとした。
【手続補正３】
【補正対象書類名】明細書
【補正対象項目名】０００７
【補正方法】変更
【補正の内容】
【０００７】
また、請求項２の発明にあっては、動画撮影可能な撮像手段と、前記撮像手段による動画撮影処理により得られた動画データを、作業用メモリを用いて圧縮する動画圧縮手段と、この動画圧縮手段により圧縮された動画データを記録媒体に記録する記録制御手段と、動画記録の待機状態への移行を指示する移行指示手段と、動画記録の開始を指示する開始指示手段と、前記移行指示手段により動画記録の待機状態への移行が指示されたとき、前記作業用メモリにおけるデータの読み書き速度を低速から高速に切り替える切替制御手段と、前記開始指示手段により動画記録の開始が指示されたとき、前記動画圧縮手段による圧縮処理及び前記記録制御手段による記録処理を開始させる処理制御手段とを備えたものとした。
【手続補正４】
【補正対象書類名】明細書
【補正対象項目名】０００８
【補正方法】変更
【補正の内容】
【０００８】
また、請求項３の発明にあっては、前記処理制御手段は、前記開始指示手段により動画記録の開始が指示されたとき、前記撮像手段による動画撮影処理を開始させる手段を含むものとした。
【手続補正５】
【補正対象書類名】明細書
【補正対象項目名】０００９
【補正方法】変更
【補正の内容】
【０００９】
また、請求項４の発明にあっては、前記開始指示手段は、所定のキー操作に応答して動画記録の開始を指示する手段を含むものとした。
【手続補正６】
【補正対象書類名】明細書
【補正対象項目名】００１０
【補正方法】変更
【補正の内容】
【００１０】
また、請求項５の発明にあっては、動画記録の終了を指示する終了指示手段を備え、前記処理制御手段は、前記終了指示手段により動画記録の終了が指示されたとき、前記動画圧縮手段による圧縮処理及び前記記録制御手段による記録処理を終了させる手段を含み、前記切替制御手段は、前記終了指示手段により動画記録の終了が指示されたとき、前記作業用メモリにおけるデータの読み書き速度を高速から低速に切り替える手段を含むものとした。
【手続補正７】
【補正対象書類名】明細書
【補正対象項目名】００１１
【補正方法】変更
【補正の内容】
【００１１】
また、請求項６の発明にあっては、前記終了指示手段は、所定のキー操作に応答して動画記録の終了を指示する手段を含むものとした。
【手続補正８】
【補正対象書類名】明細書
【補正対象項目名】００１２
【補正方法】変更
【補正の内容】
【００１２】
また、請求項７の発明にあっては、前記終了指示手段は、前記開始指示手段により動画記録の開始が指示されてからの所定時間の経過に応答して動画記録の終了を指示する手段を含むものとした。
【手続補正９】
【補正対象書類名】明細書
【補正対象項目名】００１３
【補正方法】変更
【補正の内容】
【００１３】
また、請求項８の発明にあっては、前記移行指示手段は、所定のキー操作に応答して、動画記録の待機状態への移行を指示する手段を含むものとした。
【手続補正１０】
【補正対象書類名】明細書
【補正対象項目名】００１４
【補正方法】変更
【補正の内容】
【００１４】
また、請求項９の発明にあっては、前記移行指示手段は、動画撮影モードの設定操作に応答して、動画記録の待機状態への移行を指示する手段を含むものとした。
【手続補正１１】
【補正対象書類名】明細書
【補正対象項目名】００１５
【補正方法】変更
【補正の内容】
【００１５】
また、請求項１０の発明にあっては、前記切替制御手段は、前記動画撮影モードの設定解除操作に応答して、前記作業用メモリにおけるデータの読み書き速度を高速から低速に切り替える手段を含むものとした。
【手続補正１２】
【補正対象書類名】明細書
【補正対象項目名】００１６
【補正方法】変更
【補正の内容】
【００１６】
また、請求項１１の発明にあっては、半押し状態と全押し状態との２段階操作が可能なシャッターボタンを備え、前記移行指示手段は、前記シャッターボタンの半押し操作に応答して、動画記録の待機状態への移行を指示する手段を含むものとした。
【手続補正１３】
【補正対象書類名】明細書
【補正対象項目名】００１７
【補正方法】変更
【補正の内容】
【００１７】
また、請求項１２の発明にあっては、前記切替制御手段は、前記シャッターボタンの半押し操作の解除に応答して、前記作業用メモリにおけるデータの読み書き速度を高速から低速に切り替える手段を含むものとした。
【手続補正１４】
【補正対象書類名】明細書
【補正対象項目名】００１８
【補正方法】変更
【補正の内容】
【００１８】
また、請求項１３の発明にあっては、前記移行指示手段は、シャッターボタン操作に応答して、動画記録の待機状態への移行を指示する手段を含むものとした。
【手続補正１５】
【補正対象書類名】明細書
【補正対象項目名】００１９
【補正方法】変更
【補正の内容】
【００１９】
また、請求項１４の発明にあっては、前記開始指示手段は、前記所定のキー操作と同一のキー操作に応答して動画記録の開始を指示する手段を含むものとした。
【手続補正１６】
【補正対象書類名】明細書
【補正対象項目名】００２０
【補正方法】変更
【補正の内容】
【００２０】
また、請求項１５の発明にあっては、前記切替制御手段は、前記所定のキー操作からの所定時間の経過に応答して、前記作業用メモリにおけるデータの読み書き速度を高速から低速に切り替える手段を含むものとした。
【手続補正１７】
【補正対象書類名】明細書
【補正対象項目名】００２１
【補正方法】変更
【補正の内容】
【００２１】
また、請求項１６の発明にあっては、前記動画圧縮手段は、フレーム間予測符号化を伴う圧縮処理により前記動画データを圧縮する手段を含むものとした。
【手続補正１８】
【補正対象書類名】明細書
【補正対象項目名】００２２
【補正方法】変更
【補正の内容】
【００２２】
また、請求項１７の発明にあっては、前記動画圧縮手段は、ＭＰＥＧ方式による圧縮処理により前記動画データを圧縮する手段を含むものとした。
【手続補正１９】
【補正対象書類名】明細書
【補正対象項目名】００２３
【補正方法】変更
【補正の内容】
【００２３】
また、請求項１８の発明にあっては、動画撮影可能な撮像部と、この撮像部による動画撮影処理により得られた動画データを、作業用メモリを用いて圧縮する動画圧縮部と、この動画圧縮部により圧縮された動画データを記録媒体に記録する記録制御部とを備えた撮像装置の動画撮影方法であって、動画記録の開始を指示するステップと、動画記録の開始が指示されたとき、前記作業用メモリにおけるデータの読み書き速度を低速から高速に切り替えるステップと、前記作業用メモリにおけるデータの読み書き速度が低速から高速に切り替えられた後、前記動画圧縮部による圧縮処理及び前記記録制御部による記録処理を開始させるステップとを含む動画撮影方法とした。
【手続補正２０】
【補正対象書類名】明細書
【補正対象項目名】００２４
【補正方法】変更
【補正の内容】
【００２４】
また、請求項１９の発明にあっては、動画撮影可能な撮像部と、この撮像部による動画撮影処理により得られた動画データを、作業用メモリを用いて圧縮する動画圧縮部と、この動画圧縮部により圧縮された動画データを記録媒体に記録する記録制御部とを備えた撮像装置の動画撮影方法であって、動画記録の待機状態への移行を指示するステップと、動画記録の待機状態への移行が指示されたとき、前記作業用メモリにおけるデータの読み書き速度を低速から高速に切り替えるステップと、動画記録の開始を指示するステップと、動画記録の開始が指示されたとき、前記動画圧縮部による圧縮処理及び前記記録制御部による記録処理を開始させるステップとを含む動画撮影方法とした。
【手続補正２１】
【補正対象書類名】明細書
【補正対象項目名】００２５
【補正方法】変更
【補正の内容】
【００２５】
また、請求項２０の発明にあっては、動画撮影可能な撮像部と、この撮像部による動画撮影処理により得られた動画データを、作業用メモリを用いて圧縮する動画圧縮部と、この動画圧縮部により圧縮された動画データを記録媒体に記録する記録制御部とを備えた撮像装置が有するコンピュータに、動画記録の開始を指示する処理と、動画記録の開始が指示されたとき、前記作業用メモリにおけるデータの読み書き速度を低速から高速に切り替える処理と、前記作業用メモリにおけるデータの読み書き速度が低速から高速に切り替えられた後、前記動画圧縮部による圧縮処理及び前記記録制御部による記録処理を開始させる処理とを実行させるための動画撮影プログラムとした。
【手続補正２２】
【補正対象書類名】明細書
【補正対象項目名】００２６
【補正方法】変更
【補正の内容】
【００２６】
また、請求項２１の発明にあっては、動画撮影可能な撮像部と、この撮像部による動画撮影処理により得られた動画データを、作業用メモリを用いて圧縮する動画圧縮部と、この動画圧縮部により圧縮された動画データを記録媒体に記録する記録制御部とを備えた撮像装置が有するコンピュータに、動画記録の待機状態への移行を指示する処理と、動画記録の待機状態への移行が指示されたとき、前記作業用メモリにおけるデータの読み書き速度を低速から高速に切り替える処理と、動画記録の開始を指示する処理と、動画記録の開始が指示されたとき、前記動画圧縮部による圧縮処理及び前記記録制御部による記録処理を開始させる処理とを実行させるための動画撮影プログラムとした。
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】変更
【補正の内容】
【００２８】
請求項１、１８の発明においては、動画撮影が開始される以前は、メモリの動作周波数を低速としておくことにより、無駄な電力消費を無くすことができ、しかも動画撮影期間中には、メモリの動作周波数を高速に切替えることにより、動画圧縮に必要な画像データの高速かつ多量な転送動作を行うことができるようにした。よって、電池寿命の長期化を図りながら、画像データの高速かつ多量な転送動作が必要な動画圧縮が可能となる。
【手続補正２５】
【補正対象書類名】明細書
【補正対象項目名】００２９
【補正方法】変更
【補正の内容】
【００２９】
また、請求項２、１９の本発明においては、動画撮影の待機状態となる以前は、メモリの動作周波数を低速としておくことにより、無駄な電力消費を無くすことができ、しかも動画撮影が開始した後の動画撮影期間中には、メモリの動作周波数を高速に切替えることにより、動画圧縮に必要な画像データの高速かつ多量な転送動作を行うことができるようにした。よって、電池寿命の長期化を図りながら、画像データの高速かつ多量な転送動作が必要な動画圧縮が可能となる。
【手続補正２６】
【補正対象書類名】明細書
【補正対象項目名】００３０
【補正方法】変更
【補正の内容】
【００３０】
さらに、本発明においては、動作モードを動画撮影モードが設定される以前には、メモリの動作周波数を低速としておくことにより、また、本発明においては、シャッターボタンの半押し操作があるまで、つまり一般に動画撮影が開始される直前までは、メモリの動作周波数を低速としておくことにより、無駄な電力消費を無くすことができる。
【手続補正２７】
【補正対象書類名】明細書
【補正対象項目名】００３１
【補正方法】変更
【補正の内容】
【００３１】
また、本発明においては、動画撮影処理の終了後における無駄な電力消費を無くすことができる。
【手続補正２８】
【補正対象書類名】明細書
【補正対象項目名】００３２
【補正方法】変更
【補正の内容】
【００３２】
また、本発明においては、動画撮影モードが解除された後における無駄な電力消費を無くすことができる。
【手続補正２９】
【補正対象書類名】明細書
【補正対象項目名】００３３
【補正方法】変更
【補正の内容】
【００３３】
また、本発明においては、ユーザーがいったん意図した動画撮影の開始を、その直前で中断したときには、作業用メモリにおけるデータの読み書き速度を、直ちにそれ以前の通常の速度に切り替えることにより、無駄な電力消費を無くすことができる。
【手続補正３０】
【補正対象書類名】明細書
【補正対象項目名】００３４
【補正方法】変更
【補正の内容】
【００３４】
また、請求項２０の発明においては、そのプログラムを用いることにより請求項１の発明が実現でき、請求項２１の発明においては、そのプログラムを用いることにより請求項２の発明が実現できる。